(57)【要約】【課題】  ホウ素やヒ素のようにアルカリ溶液中でイオン化する物質Ｘを低コストで分離することができる吸着剤および分離方法を提供すること。【解決手段】  アルカリ溶液中でイオン化する物質Ｘを溶液中から分離するための分離方法であって、溶液を所定のｐＨにするｐＨ調整剤を前記溶液に加えて物質Ｘをイオン化させるｐＨ調整工程と、この溶液に更に、ハイドロタルサイト様物質（好ましくは結晶子サイズが２０ｎｍ以下であるハイドロタルサイト様物質）を混合し、物質Ｘの陰イオンを吸着させるハイドロタルサイト様物質混合工程と、を有する。【選択図】        図４
2009034564.tif 000002
【特許請求の範囲】
【請求項１】
アルカリ溶液中でイオン化する物質Ｘを溶液中から分離するための吸着剤であって、ハイドロタルサイト様物質と、前記溶液を所定のｐＨにするｐＨ調整剤と、を有することを特徴とする吸着剤。
【請求項２】
アルカリ溶液中でイオン化する物質Ｘを溶液中から分離するための吸着剤であって、層間に水酸化物イオンを有すると共に、結晶子のサイズが２０ｎｍ以下であるハイドロタルサイト様物質を含むことを特徴とする吸着剤。
【請求項３】
前記ハイドロタルサイト様物質は、層間に塩化物イオンを有することを特徴とする請求項１又は２記載の吸着剤。
【請求項４】
前記物質Ｘは、ヒ素又はホウ素であることを特徴とする請求項１又は２記載の吸着剤。
【請求項５】
前記ハイドロタルサイト様物質は粒状体であることを特徴とする請求項１又は２記載の吸着剤。
【請求項６】
前記ｐＨ調整剤は、少なくとも水酸化ナトリウムを含むことを特徴とする請求項１記載の吸着剤。
【請求項７】
アルカリ溶液中でイオン化する物質Ｘを溶液中から分離するための方法であって、前記溶液を所定のｐＨにするｐＨ調整工程と、ハイドロタルサイト様物質を前記溶液に混合するハイドロタルサイト様物質混合工程と、を有することを特徴とする分離方法。
【請求項８】
アルカリ溶液中でイオン化する物質Ｘを溶液中から分離するための方法であって、層間に水酸化物イオンを有すると共に、結晶子のサイズが２０ｎｍ以下であるハイドロタルサイト様物質を前記溶液に混合するハイドロタルサイト様物質混合工程を有することを特徴とする分離方法。
【請求項９】
前記ハイドロタルサイト様物質は、層間に塩化物イオンを有することを特徴とする請求項７又は８記載の分離方法。
【請求項１０】
前記物質Ｘは、ヒ素又はホウ素であることを特徴とする請求項７又は８記載の分離方法。
【請求項１１】
前記ｐＨ調整工程は、水酸化ナトリウムを前記溶液に混合することにより、所定のｐＨに調整することを特徴とする請求項７記載の分離方法。
【請求項１２】
前記ハイドロタルサイト様物質を含む溶液から前記ハイドロタルサイト様物質を固液分離する固液分離工程を有することを特徴とする請求項７又は８記載の分離方法。
【発明の詳細な説明】
【技術分野】
【０００１】
この発明は、アルカリ溶液中でイオン化する物質Ｘの吸着剤および分離方法に関するものである。
【背景技術】
【０００２】
産業廃水には様々な汚染物質等が含まれており、そのまま河川や土壌に廃出されると、生活環境に多大な悪影響を及ぼすおそれがある。そのため、環境基本法や水質汚濁防止法等によって様々な汚染物質の廃出基準が定められ規制されている。
【０００３】
ここで従来、汚染物質である陰イオンの除去には、例えば、陰イオン交換樹脂が用いられている（例えば、特許文献１参照）。
【０００４】
また、ホウ素やヒ素は、水溶液中で、式１、式２のような平衡が成り立っており、アルカリ溶液中でイオン化することがわかっている（図１、図２参照）。
【０００５】
【化１】
2009034564.tif 000003
【０００６】
【化２】
2009034564.tif 000004
【０００７】
【特許文献１】特開平９−１７４０９３号公報
【発明の開示】
【発明が解決しようとする課題】
【０００８】
しかしながら、アルカリ溶液中からホウ素やヒ素のような物質を除去するには、これら物質を水酸化物イオン（ＯＨ−）よりも優先的に吸着する特殊な陰イオン交換樹脂が必要であり、コストが非常にかかるというのが現状である。
そこで本発明は、ホウ素やヒ素のようにアルカリ溶液中でイオン化する物質Ｘを低コストで分離することができる吸着剤および分離方法を提供することを目的とする。
【課題を解決するための手段】
【０００９】
上記目的を達成するために、本発明の吸着剤は、アルカリ溶液中でイオン化する物質Ｘを溶液中から分離するための吸着剤であって、ハイドロタルサイト様物質と、前記溶液を所定のｐＨにするｐＨ調整剤と、を有することを特徴とする。
【００１０】
また、本発明の別の吸着剤は、アルカリ溶液中でイオン化する物質Ｘを溶液中から分離するための吸着剤であって、層間に水酸化物イオンを有すると共に、結晶子のサイズが２０ｎｍ以下であるハイドロタルサイト様物質を含むことを特徴とする。
【００１１】
これらの場合、前記ハイドロタルサイト様物質は、層間に塩化物イオンを有するものを用いることができる。また、分離する前記物質Ｘとしては、ヒ素又はホウ素が挙げられる。また、前記ハイドロタルサイト様物質は粒状体であっても良い。また、前記ｐＨ調整剤は、少なくとも水酸化ナトリウムを含むものを使用することができる。
【００１２】
また、本発明の分離方法は、アルカリ溶液中でイオン化する物質Ｘを溶液中から分離するための分離方法であって、前記溶液を所定のｐＨにするｐＨ調整工程と、ハイドロタルサイト様物質を前記溶液に混合するハイドロタルサイト様物質混合工程と、を有する。
【００１３】
また、本発明の別の分離方法は、アルカリ溶液中でイオン化する物質Ｘを溶液中から分離するための分離方法であって、層間に水酸化物イオンを有すると共に、結晶子のサイズが２０ｎｍ以下であるハイドロタルサイト様物質を前記溶液に混合するハイドロタルサイト様物質混合工程を有することを特徴とする。
【００１４】
これらの場合、前記ハイドロタルサイト様物質は、層間に塩化物イオンを含むものを用いることができる。また、分離する前記物質Ｘとしては、ヒ素又はホウ素が挙げられる。また、前記ｐＨ調整工程は、水酸化ナトリウムを前記溶液に混合することにより、所定のｐＨに調整することができる。
【００１５】
また、本発明の分離方法は、前記ハイドロタルサイト様物質を含む溶液から前記ハイドロタルサイト様物質を固液分離する固液分離工程を有する方が好ましい。
【発明の効果】
【００１６】
本発明によれば、マグネシウム、アルミニウムなど、天然に豊富に存在する元素の水酸化物を主骨格とし、その合成も比較的簡単に行うことができるハイドロタルサイト様物質を用いるので、ホウ素やヒ素のようにアルカリ溶液中でイオン化する物質Ｘを低コストで分離することができる。
【発明を実施するための最良の形態】
【００１７】
以下に、本発明の吸着剤について説明する。
本発明の吸着剤は、アルカリ溶液中でイオン化する物質Ｘを溶液中から分離するための吸着剤であって、ハイドロタルサイト様物質と、溶液を所定のｐＨにするｐＨ調整剤と、を有することを特徴とする。
【００１８】
ここで、ハイドロタルサイト様物質とは、構造式がＭ２＋１−ｘＭ３＋ｘ（ＯＨ）２（Ａｎ−）ｘ／ｎ・ｍＨ２Ｏで表される不定比化合物である。Ｍ２＋は２価の金属を表し、Mg2+、Fe2+、Zn2+、Ca2+、Li2+、Ni2+、Co2+、Cu2+等が該当する。また、Ｍ３＋は３価の金属を表し、Al3+、Fe3+、Mn3+等が該当する。なお、Ａｎ−はアニオンを表す。このようなハイドロタルサイト様物質としてはどのようなものでも良いが、例えば、以下のような方法で製造したものを用いることができる。
【００１９】
まず、アルミニウムイオンとマグネシウムイオンを含む酸性溶液を調製する。
【００２０】
アルミニウムイオンのアルミニウム源としては、水中でアルミニウムイオンを生成するものであれば良く、特定の物質に限定されるものではない。例えば、アルミナ、アルミン酸ソーダ、水酸化アルミニウム、塩化アルミニウム、硝酸アルミニウム、ボーキサイト、ボーキサイトからのアルミナ製造残渣、アルミスラッジ等を用いることができる。また、これらアルミニウム源は、いずれかを単独で用いても、２種類以上を組み合わせて用いても良い。
【００２１】
また、マグネシウムイオンのマグネシウム源としては、水中でマグネシウムイオンを生成する物であれば良く、特定の物質に限定されるものではない。例えば、ブルーサイト、水酸化マグネシウム、マグネサイト、マグネサイトの焼成物等を用いることができる。これらマグネシウム源は、いずれかを単独で用いても、２種類以上を組み合わせて用いても良い。
【００２２】
ここで、アルミニウムイオンとマグネシウムイオンからなるハイドロタルサイトの一般式は、Ｍｇ２＋１−ｘＡｌ３＋ｘ（ＯＨ）２（Ａｎ−）ｘ／ｎ・ｍＨ２Ｏ（Ａｎ−はアニオン）であり、高結晶質のハイドロタルサイトの最も一般的な組成では、アルミニウムイオンとマグネシウムイオンのモル比が１：３（ｘ＝０．２５）となっていることが知られている。したがって、酸性溶液中のアルミニウムイオンとマグネシウムイオンのモル比は、１：５〜１：２の範囲とするのが好ましい。この範囲とすることによって、アルミニウム源とマグネシウム源を無駄にすることなく、物質収支的に有利にハイドロタルサイト様物質を製造することができる。
【００２３】
また、前記酸性溶液を酸性に調整するには、塩酸を用いるのが好ましい。
【００２４】
次に、アルミニウムイオンとマグネシウムイオンを含んだ前記酸性溶液を、アルカリを含むアルカリ性溶液と混合する。このアルカリ性溶液は、ｐＨが８〜１１のものを用いるのが好ましい。なお、酸性溶液とアルカリ性溶液の混合は、酸性溶液をアルカリ性溶液へ一気に加えるか、あるいは酸性溶液をアルカリ性溶液へ滴下して行うことができるが、好ましくは、混合する際の撹拌能力に応じて酸性溶液とアルカリ性溶液を適量ずつ混合する方が良い。勿論、酸性溶液とアルカリ性溶液を十分に撹拌できるものであれば、これら以外の方法であっても構わない。
【００２５】
ここで、アルカリ性溶液に含まれるアルカリとしては、水溶液をアルカリ性とするものであれば良く、特定の物質に限定されるものではない。例えば、水酸化ナトリウム、水酸化カルシウムなどを用いることができる。また、炭酸ナトリウム、炭酸カリウム、炭酸アンモニウム、アンモニア水、ホウ酸ナトリウム、ホウ酸カリウムなども用いることができる。これらアルカリはいずれかを単独で用いても、２種類以上を組み合わせて用いても良い。
【００２６】
また、高結晶質のハイドロタルサイトは炭酸イオンと優先的にイオン交換するため、炭酸イオンを含むと目的とする陰イオンと効率良くイオン交換できない。したがって、ハイドロタルサイト様物質においても、目的とする陰イオンと効率良くイオン交換させるために、前記酸性溶液および前記アルカリ性溶液に炭酸イオンを含まないようにするのが好ましい。
【００２７】
また、酸性溶液とアルカリ性溶液の混合が完了した後、熟成を行わないようにすれば、ハイドロタルサイト様物質の結晶を成長させることなく、結晶子サイズ（結晶子の大きさ）の小さいハイドロタルサイト様物質を製造することができる点で好ましい。この場合、ハイドロタルサイト様物質の結晶子サイズが小さいので、混合時に溶液はコロイド状となる。
【００２８】
熟成を行わないようにするには、酸性溶液とアルカリ性溶液の混合が完了した後、当該混合溶液のｐＨをハイドロタルサイト様物質の結晶成長が止まる値まで下げれば良い。例えば、一般式Ｍｇ２＋１−ｘＡｌ３＋ｘ（ＯＨ）２（Ａｎ−）ｘ／ｎ・ｍＨ２Ｏで表されるハイドロタルサイト様物質は、ｐＨを９以下とすれば、熟成を止めることができる。また、一般式Ｚｎ２＋１−ｘＡｌ３＋ｘ（ＯＨ）２（Ａｎ−）ｘ／ｎ・ｍＨ２Ｏで表されるハイドロタルサイト様物質は、ｐＨを５以下とすれば、熟成を止めることができる。
【００２９】
また、水分を除去することによっても、熟成を止めることができる。水分を除去するためには、吸引濾過、遠心分離など適当な方法を用いることができる。
【００３０】
したがって、例えば、一般式Ｍｇ２＋１−ｘＡｌ３＋ｘ（ＯＨ）２（Ａｎ−）ｘ／ｎ・ｍＨ２Ｏで表されるハイドロタルサイト様物質の結晶子サイズを２０ｎｍ以下にするには、酸性溶液とアルカリ性溶液の混合が完了した後、１２０分以内、好ましくは同時に混合溶液のｐＨを９以下に調整すれば良い。ｐＨを９以下とするにはどのような方法を用いても良いが、例えば、酸性溶液とアルカリ性溶液を混合した後、直ちに水にて希釈する方法がある。もちろん、酸性溶液とアルカリ性溶液を混合した後、１２０分以内、好ましくは同時に、吸引濾過や遠心分離等によって水分を除去しても良い。また、確実に熟成を行わせないためには、酸性溶液とアルカリ性溶液の混合が完了した後速やかにハイドロタルサイト様物質を洗浄するのも良い。なお、合成過程で生成されるＮａＣｌ等の塩化物は含有させておいても構わない。
【００３１】
結晶子サイズの小さいハイドロタルサイト様物質は、単位重量当たりの表面積が大きく、ＯＨ−を脱離し易いため、このハイドロタルサイト様物質を溶液に混合すると、ｐＨを７以上に調整することができる。したがって、結晶子サイズが小さいハイドロタルサイト様物質を用いれば、後述するｐＨ調整剤が不要となる。特に、結晶子のサイズが２０ｎｍ以下、好ましくは１０ｎｍ以下であると、これらの効果が高くなる点で好ましい。また、単位重量当たりの表面積が大きいことで、陰イオン交換性能が高くなるという効果もある。
【００３２】
このように生成されたハイドロタルサイト様物質が物質Ｘの陰イオンを吸着するためには、ハイドロタルサイト様物質の層間に存在する陰イオンより物質Ｘの陰イオンの方がインターカレーションされ易い物質である必要がある。換言すると、ハイドロタルサイト様物質は、層間イオンが物質Ｘの陰イオンよりインターカレーションされ難い物質となるように調整する必要がある。ここで、層間イオンの調整は、周知の方法を用いることができ、例えば、ハイドロタルサイト様物質の層間イオンが塩化物イオンである塩素型にするには、希塩酸や食塩水等の塩化物イオンを多量に含有する溶液に浸せばよく、層間イオンが硝酸イオンである硝酸型にするには、ハイドロタルサイト様物質を希硝酸に浸せば良い。なお、工業的には、安全で製造も容易な塩素型のハイドロタルサイト様物質が好ましく、ホウ素やヒ素の除去にも好適に使用することができる。
【００３３】
このように生成されたハイドロタルサイト様物質は、スラリー状で用いても良いが、このスラリーをろ過、洗浄、乾燥、粉砕することで粉末状としても良い。また、扱い易さ等の観点から、ハイドロタルサイト様物質を固めて粒状にした粒状体としても良い。粒状体はどのような方法で製造しても良いが、例えば、次のように製造することができる。
【００３４】
まず、フィルタープレス等の脱水装置によってスラリー状のハイドロタルサイト様物質に所定の圧力をかけ水分をできるだけ除去する。次に、ハイドロタルサイト様物質の結晶水の脱水温度（ハイドロタルサイト様物質の結晶水が脱水を開始する温度）以下で乾燥させる。換言すると、ハイドロタルサイト様物質の結晶外の水のみを乾燥させる。具体的には、含水率が７０％以下、好ましくは６５％以下、更に好ましくは６０％以下のハイドロタルサイト様物質を、最終生成物であるハイドロタルサイト様粒状体の含水率が１０％以上２０％以下、好ましくは１０％以上１５％以下、更に好ましくは、１１％以上１２％以下になるように乾燥させる。ここで、ハイドロタルサイト様粒状体の含水率を１０％以上に保持する理由は、ハイドロタルサイト様粒状体の含水率が１０％未満であると、溶液等に触れた際にハイドロタルサイト様粒状体が水分を吸収して体積が急激に膨張し、粒度を保持できなくなるためである。なお、含水率とは水分を含むハイドロタルサイト様物質全体の質量に対する水の質量である。ハイドロタルサイト様物質が含んでいる水分の質量の測定は、日本工業規格「土の含水比試験方法」（ＪＩＳ  Ａ  １２０３：１９９９）に準拠して行った。
【００３５】
なお、乾燥させる温度としては、ハイドロタルサイト様物質の結晶水の脱水温度以下であればどのような温度でも良いが、ハイドロタルサイト様粒状体の粒径を大きくするためには比較的低温で乾燥させる方が好ましい。ただし、あまり低すぎる温度で乾燥すると、ハイドロタルサイト様粒状体が水に解け易くなる。したがって、具体的な乾燥温度は、２５℃以上１２５℃以下が良く、好ましくは９０℃以上１１０℃以下が良く、更に好ましくは９５℃以上１０５℃以下が良い。
【００３６】
また、この乾燥はどのように行っても良く、例えば、通常の乾燥炉等を用いれば良い。勿論、室温で自然乾燥にすることも可能である。また、乾燥時の湿度を高く調節する方がハイドロタルサイト様粒状体の形態安定性の点で良い。例えば、乾燥炉内の水蒸気の量を飽和水蒸気量付近（湿度が９０％〜１００％）となるように調節すれば良い。
【００３７】
また、このようにして乾燥したハイドロタルサイト様物質をふるいにかけ、析出した塩化物等を除去しても良い。
【００３８】
また、ハイドロタルサイト様粒状体は、その用途に応じて粒径を調整しても良い。この場合、ハイドロタルサイト様粒状体の粒径は、カラム等に用いることを考慮して０．２４ｍｍ以上が良く、好ましくは０．３６ｍｍ以上が良く、更に好ましくは１ｍｍ以上２ｍｍ以下が良い。粒径の調製は、どのように行っても良いが、例えば、ハンマー等により破砕し、目的とする大きさの目をもったふるいにかけて、調整することができる。
【００３９】
ｐＨ調整剤は、物質Ｘが陰イオンとなるように溶液のｐＨを調整することができるものであればどのようなものでも良く、例えば、水酸化ナトリウム（ＮａＯＨ）を用いることができる。ここで、物質Ｘがホウ素やヒ素の場合、図１、図２に示すように、ｐＨが高い程ホウ素やヒ素がイオンとして存在する量が増加する。したがって、溶液のｐＨが高くなるほど物質Ｘの陰イオンの存在量が増加する場合、ｐＨ調整剤はｐＨをできるだけ高くできる方が良く、ｐＨを８以上に調整できるものが好ましい。ただし、ｐＨが高すぎると溶液中の水酸化物イオン（ＯＨ−）の濃度が高くなり、ハイドロタルサイト様物質は、物質Ｘの陰イオンより水酸化物イオン（ＯＨ−）を多く吸着するようになる。したがって、用いるハイドロタルサイト様物質が物質Ｘの陰イオンを最も吸着する範囲にｐＨを調整できるものが好ましい。例えば、物質Ｘがホウ素やヒ素の場合には、ｐＨを９〜１０に調整すると良い。
【００４０】
次に、本発明の分離方法について説明する。
本発明の分離方法は、アルカリ溶液中でイオン化する物質Ｘを溶液中から分離するための分離方法であって、溶液を所定のｐＨを有するアルカリ性にするｐＨ調整工程と、ハイドロタルサイト様物質を溶液に混合するハイドロタルサイト様物質混合工程と、を有することを特徴とする。
【００４１】
ｐＨ調整工程は、物質Ｘが陰イオンとなるように溶液のｐＨを調整するもので、溶液のｐＨを調整するｐＨ調整剤等を使用すれば良い。例えば、溶液の量に応じて適量の水酸化ナトリウム（ＮａＯＨ）を混合することにより、調整することができる。物質Ｘがホウ素やヒ素の場合には、ｐＨを８以上、好ましくは９〜１０に調整するのが好ましい。なお、上述したが、ｐＨが高すぎると溶液中の水酸化物イオン（ＯＨ−）の濃度が高くなり、ハイドロタルサイト様物質は、物質Ｘの陰イオンより水酸化物イオン（ＯＨ−）を多く吸着するようになる。したがって、用いるハイドロタルサイト様物質が物質Ｘの陰イオンを最も吸着する範囲にｐＨを調整するのが好ましい。
【００４２】
ハイドロタルサイト様物質混合工程では、ハイドロタルサイト様物質を溶液に十分に混合・撹拌し、物質Ｘの陰イオンを吸着し易くするためのもので、例えば、モータ等の回転により撹拌するミキサーや、容器内に気泡を供給することにより撹拌する気体供給手段等を用いれば良い。なお、ハイドロタルサイト様物質が粒状体の場合には、ハイドロタルサイト様物質をカラムに充填し、このカラムに溶液を通水すれば良い。
【００４３】
なお、ｐＨ調整工程とハイドロタルサイト様物質混合工程は、どちらを先に行っても良く、ハイドロタルサイト様物質混合工程の後に、ｐＨ調整工程を行っても良い。また、結晶子のサイズが２０ｎｍ以下であるハイドロタルサイト様物質を用いる場合には、ハイドロタルサイト様物質自体が溶液のｐＨを調整するため、ｐＨ調整工程が不要になる場合もある。
【００４４】
固液分離工程は、ｐＨ調整工程とハイドロタルサイト様物質混合工程を経た溶液から、物質Ｘを吸着（イオン交換）したハイドロタルサイト様物質を分離するものである。例えば、フィルタープレス等の脱水手段を用いて、ハイドロタルサイト様物質と溶液とを固液分離すれば良い。また、ハイドロタルサイト様物質が粒状体の場合には、カラムに充填し溶液を流すようにしても良い。これにより、物質Ｘを除去又は低減した溶液を取り出すことができる。
【実施例】
【００４５】
以下に、本発明の分離方法をホウ素の除去に用いた場合の実施例について説明するが、本発明はこれら実施例に限定されるものではない。なお、本実施例のハイドロタルサイト様物質は、結晶子のサイズが２０ｎｍ以下のものを用いた。
【００４６】
実施例１
蒸留水、ホウ素濃度が２０ｍｇ／ｌのホウ素標準液、硫酸イオン濃度が１８２０ｍｇ／ｌの硫酸標準液をそれぞれ１０００ｍｌ準備する。次に、結晶子サイズが２０ｎｍ以下であるハイドロタルサイト様物質１３ｇを添加し、マグネチックスターラーで１８０分撹拌した。撹拌は、各溶液の温度を２０℃に調整し、２０℃の恒温室内で行った。この際、これらの溶液のｐＨの変化をｐＨ電極によって測定した。各溶液のｐＨと撹拌時間の関係を図３に示す。図３より、純水、ホウ素溶液、硫酸標準液のｐＨが大きくなっているのが分かる。
【００４７】
実施例２
ホウ素濃度が２０ｍｇ／ｌとなるように調整したホウ素標準液１０００ｍｌを準備する。次に、結晶子サイズが２０ｎｍ以下であるハイドロタルサイト様粒状体１３ｇを添加し、マグネチックスターラーで１８０分撹拌した。また、ホウ素の吸着は、２０℃の恒温室内で、ホウ素標準液の温度を２０℃に調整して行った。このホウ素標準液の濃度の変化を、吸光光度計（ＤＲ．ＬＡＮＧＥ社製のＬＡＳＡ−５０）とこの吸光光度計の専用試薬（ＬＣＫ３０７）を用いて測定した。ホウ素の濃度と撹拌時間の関係を図４に示す。
【００４８】
図４より、ホウ素の濃度が減少しており、ハイドロタルサイト様物質にホウ素が吸着されているのがわかる。
【００４９】
実施例３
本発明の吸着剤のホウ素の吸着量と溶液のｐＨの関係を示す試験である。
ホウ酸（Ｈ３ＢＯ３）特級試薬を計量し、蒸留水に溶解させ、イオン標準液を調製した。調製した標準液を希釈し、２５％ＮａＯＨａｑを用いてｐＨを７、９、１２に調整した反応溶液を１００ｍｌ用意した。各反応溶液に粉体状ハイドロタルサイト様物質を１ｇ添加し、マグネチックスターラーで１時間撹拌し、撹拌後、ろ紙（５Ｂ）を用いてろ過した。各反応溶液のホウ素濃度を、吸光光度計（ＤＲ．ＬＡＮＧＥ社製のＬＡＳＡ−５０）を用いて測定した。溶液の初期ｐＨとホウ素濃度及び本発明の吸着剤のホウ素吸着量の関係を表１および図５に示す。
【００５０】
【表１】
2009034564.tif 000005
【００５１】
実施例４
ホウ素、硫酸イオン、塩化物イオンを含む溶液１００ｍｌに本発明の吸着剤を添加した場合の各イオンの吸着量を示す試験である。
ホウ酸（Ｈ３ＢＯ３）、硫酸ナトリウム（Ｎａ２ＳＯ４）及び塩化ナトリウム（ＮａＣｌ）を所定量計量し、蒸留水に添加後十分に攪拌し、試験溶液を調製する。また、ｐＨの調整には２５％水酸化ナトリウム溶液（ＮａＯＨaq）を使用した。
試験溶液１００ｍｌに本発明の吸着剤をそれぞれ添加し、マグネチックスターラーで1時間攪拌した。この溶液の濃度の変化を、吸光光度計（ＤＲ．ＬＡＮＧＥ社製のＬＡＳＡ−５０）とこの吸光光度計の専用試薬（ＬＣＫ３０７）及びイオン分析計（東亜ＤＫＫ社製 ＩＡ―２００）を用いて測定した。本発明の吸着剤の添加量と各イオンの濃度及び吸着量の関係を表２および表３に示す。表２は、溶液の初期ｐＨが９の場合における本発明の吸着剤の各イオン吸着量を示す表である。また、表３は、溶液の初期ｐＨが１２の場合における本発明の吸着剤の各イオン吸着量を示す表である。
【００５２】
【表２】
2009034564.tif 000006
【００５３】
【表３】
2009034564.tif 000007
【図面の簡単な説明】
【００５４】
【図１】ｐＨとホウ素の形態との関係を示すグラフである。
【図２】ｐＨとヒ素の形態との関係を示すグラフである。
【図３】ハイドロタルサイト様物質によるｐＨの変化を示すグラフである。
【図４】ホウ素標準液に本発明の吸着剤を用いた場合のホウ素の濃度変化を示すグラフである。
【図５】溶液の初期ｐＨと溶液のホウ素平衡濃度及び本発明の吸着剤のホウ素吸着量の関係を示すグラフである。
【図１】
2009034564.tif 000008
【図２】
2009034564.tif 000009
【図３】
2009034564.tif 000010
【図４】
2009034564.tif 000011
【図５】
2009034564.tif 000012